(57)【要約】【課題】洗浄液の発生量を低減し、洗浄性を向上することができる汚染された布製品の洗浄方法と装置を提供する。【解決手段】汚染した布製品を洗浄する方法において、洗浄工程で洗浄に供される洗浄液を、浄化工程にて浄化再生し、前記洗浄工程に戻し、再度洗浄液として循環使用することとしたものであり、前記洗浄工程は、洗浄液中の懸濁物を固液の分離装置及び／又は精密ろ過フィルターを用いて除去する除去工程と、洗浄液中の溶解成分を吸着除去する除去工程とを、それぞれ単独又は組み合わせて行うことができ、前記汚染した布製品には、一般家庭生活での各種の汚れ、塵挨類、油脂類、放射能汚染物等により、汚染した各種布製品に用いることができ、前記洗浄液には、水、一般市販の洗濯洗剤、又は、工業用各種洗浄剤による洗浄液を適用できる。【選択図】　図１
2004016950.tif 000002
【特許請求の範囲】
【請求項１】
汚染した布製品を洗浄する方法において、洗浄工程で洗浄に供される洗浄液を、浄化工程にて浄化再生し、前記洗浄工程に戻し、再度洗浄液として循環使用することを特徴とする洗浄方法。
【請求項２】
前記浄化工程は、洗浄液中の懸濁物を、固液の分離装置及び／又は精密ろ過フィルターを用いて除去する除去工程と、洗浄液中の溶解成分を吸着除去する除去工程とを、それぞれ単独又は組み合わせて行うことを特徴とする請求項１記載の洗浄方法。
【請求項３】
前記汚染した布製品は、一般家庭生活での各種の汚れ、塵挨類、油脂類、放射能汚染物、未燃カーボン類、ダイオキシン類により、汚染した各種布製品であることを特徴とする請求項１又は２記載の洗浄方法。
【請求項４】
前記洗浄液は、水、一般市販の洗濯洗剤による洗浄液、又は、工業用洗浄に使用される各種洗浄剤による洗浄液であることを特徴とする請求項１、２又は３記載の洗浄方法。
【請求項５】
汚染した布製品を洗浄する装置において、洗浄槽と、該洗浄槽で洗浄に供された洗浄液を浄化する、洗浄液中の懸濁物を分離する固液分離機及び／又は精密ろ過フィルター、又は、洗浄液中の溶解成分を吸着除去する吸着塔を、それぞれ単独又は組み合わせた洗浄液浄化装置とを有し、該浄化装置で浄化された洗浄液を、前記洗浄槽に循環させる循環手段を有することを特徴とする洗浄装置。
【発明の詳細な説明】
【０００１】
【発明の属する技術分野】
本発明は、汚染した各種布製品の洗浄方法に係り、特に、洗浄中、洗浄液を常時又は周期的に浄化再生しながら循環洗浄し、バッチ毎に洗浄液を排水すること無しに、繰り返し洗浄液として再使用する洗浄方法と洗浄装置に関する。
【０００２】
【従来技術】
従来、塵埃類、油脂類、未然カーボン、放射能等により汚染した布製品の洗浄方法は、家庭用洗濯機又は工業用大型洗濯機により、以下に示す工程で洗濯してきた。
１）洗浄工程　　　　　　　　　：洗濯洗剤液による洗浄
２）洗浄液の排水及び脱水工程　：洗浄液等は専用の洗浄廃液処理設備側へ排水
又は、下水処理設備へ排水
３）必要に応じて１）又は１）及び２）の工程を数回繰り返す
４）濯ぎ工程　　　　　　　　　：清澄な水で濯ぎ洗い
５）濯ぎ液の排水及ぴ脱水工程　：濯ぎ液等は専用の洗濯廃液処理設備側へ排水
又は、下水処理設備へ排水
６）必要に応じて４）及び５）の工程を数回繰り返す。
上記従来技術で発生する洗浄廃液は、洗浄対象物の種類及び洗浄工程等により異なるが、１ｋｇの布製品類を洗濯すると、１２リットル（１回洗いの２回濯ぎ）〜１９リットル（２回洗いの３回濯ぎ）の廃液が発生する。
【０００３】
ここで発生する洗浄廃液の処理は、洗浄対象物（汚れの種類と成分）により異なるが、いずれの場合においても、無害化処理を行い、施設外又は環境への“放出基準値”を満足する水質まで“しかるべき処理を行い”水質を確認後、放出となるため、洗浄廃液処理設備費並びに該処理装置の維持管理等の運用コストが高価なものとなる。
上記洗濯廃液の発生量を低減する方法として、洗浄工程と濯ぎ工程の回数を少なくすれば廃液発生量の低減はある程度達成できるが、洗浄性が低下する。即ち、洗浄性は、一旦洗浄対象物から洗浄液側に移行した“汚染物”を洗浄液の排水と脱水工程によってのみ、洗浄槽から排出されるため、この洗浄液の排水と脱水回数に依存することによる。
上記従来技術で、布製品類から洗浄液側に移行した“汚染物質”の洗浄装置からの排出性は、洗浄回数と濯ぎ回数に依存する。
即ち、この“汚染物質”の排出性は、洗浄対象物の洗浄性に大きく関係してくる。
【０００４】
【発明が解決しようとする課題】
本発明は、上記従来技術に鑑み、液の発生量を極端に低減すると共に、洗浄性を向上することができる汚染した布製品の洗浄方法と装置を提供することを課題とする。
【０００５】
【課題を解決するための手段】
上記課題を解決するために、本発明は、汚染した布製品を洗浄する方法において、洗浄工程で洗浄に供される洗浄液を、浄化工程にて浄化再生し、前記洗浄工程に戻し、再度洗浄液として循環使用することを特徴とする洗浄方法としたものである。
前記洗浄方法において、浄化工程は、洗浄液中の懸濁物を、固液の分離装置及び／又は精密ろ過フィルターを用いて除去する除去工程と、洗浄液中の溶解成分を吸着除去する除去工程とを、それぞれ単独又は組み合わせて行うことができ、前記汚染した布製品は、一般家庭生活での各種の汚れ、塵挨類、油脂類、放射能汚染物、未燃カーボン類、ダイオキシン類により、汚染した各種布製品とすることができ、また、前記洗浄液は、水、一般市販の洗濯洗剤による洗浄液、又は、工業用洗浄に使用される各種洗浄剤による洗浄液とすることができる。
また、本発明では、汚染した布製品を洗浄する装置において、洗浄槽と、該洗浄槽で洗浄に供された洗浄液を浄化する、洗浄液中の懸濁物を分離する固液分離機及び／又は精密ろ過フィルター、又は、洗浄液中の溶解成分を吸着除去する吸着塔を、それぞれ単独又は組み合わせた洗浄液浄化装置とを有し、該浄化装置で浄化された洗浄液を、前記洗浄槽に循環させる循環手段を有することを特徴とする洗浄装置としたものである。
【０００６】
【発明の実施の形態】
本発明において、適用できる布製品は、一般の衣類、各種作業での作業服類、原子力施設内作業で使用する保護衣類、焼却炉施設の解体作業等での保護衣類、各種養生シート類、焼却炉の排煙処理系で使用されるバグフィルター類等各種繊維織物及び不織布で製作された成形布製品等である。
本発明において、固液分離装置としては、沈降分離機、遠心分離器等が使用でき、また、吸着除去は、吸着剤として、活性炭、ゼオライト、イオン交換樹脂、キレート樹脂又はこれらの組合せ等を用いることができる。
また、本発明においては、浄化した洗浄液を循環して再使用する際に、洗浄液を加温することができ、そのための電極ヒーター、熱交換器の加熱器を設置すると共に、洗浄終了後、洗浄液及び脱水液を一次的に貯蔵する洗浄液貯蔵槽を配備することができる。
【０００７】
本発明では、洗浄中、洗浄液を常時又は周期的に浄化（懸濁物の除去及び溶解成分の吸着除去）しながら、洗浄槽に戻すことで“汚染物質”の排出性が大幅に改善されるため、洗浄性が向上し、また、洗浄液を常に浄化し、洗浄終了後には、浄化した洗浄液を洗浄液一時貯蔵槽に保管し、次の洗浄時に洗浄液として再使用するため、洗浄液の発生量を極端（１／数１０）に低減することができ、洗浄廃液の処理設備及び該設備の維持管理、運用コストを大幅に削減できる。
さらに、常に洗浄液を浄化しているため、腐敗し易い洗浄液の場合には、洗浄液中の細菌類も除去されるため、洗浄液の腐敗速度を大幅に低減できる。
本発明の沈降装置の一例を示すフロー構成図を図１に示す。
図１において、１は洗浄槽、２は循環ポンプ、３はろ過フィルター、４はヒーターを示し、この図１では浄化装置としてはろ過フィルターのみを用いる。
【０００８】
【実施例】
以下、本発明を実施例により具体的に説明する。
実施例１
図１の洗浄装置を用いて洗浄試験を実施した。
（１）試験装置
洗浄槽　　　　：３０リットル（家庭用洗濯機使用）
循環ポンプ　　：１５０リットル／ｈ
ろ過フィルター：ろ過面積＝１．５ｍ２、ポアサイズ＝０．６μｍ
ヒーター　　　：３ｋＷ
＊保持液量　　：４２リットル
【０００９】
（２）洗浄液及び洗浄条件
ａ）一般市販洗剤：非イオン性界面活性剤を主成分とする洗濯洗剤
ｂ）濃度　　　　：０．２％（原液ベースの体積％）
ｃ）液温　　　　：４０〜５０℃
ｄ）洗浄時間　　：３０分間
ｅ）（ａ）５バッチ／日
（ｂ）２５バッチ／週
（ｃ）全８５バッチを洗浄液の交換無しで洗浄
ｆ）摸擬懸濁物の添加
（ａ）カオリン（平均粒径０．８μｍ）
（ｂ）添加濃度：３０（ｍｇ／Ｌ）／バッチ
【００１０】
（３）洗浄対象物
ａ）作業服：５着（２．５ｋｇ）／バッチ
＊作業服は繰り返し再使用
（４）評価項目と方法
▲１▼　洗浄性の判定
ａ）（財）洗濯科学協会の販売している『湿式人工汚染布』の３枚を上記作業服に糸で縫い付け、作業服と共に洗浄（作業服は、繰り返し再使用）。
ｂ）洗浄後、人工汚染布を取り外し、その洗浄性を次式（１）を用いて『光反射率法』にて評価。
洗浄効率（％）＝（Ｒｗ−Ｒｓ）／（Ｒｏ−Ｒｓ）×１００　（１）
ここで　Ｒｏ：清浄布の反射率（％）
Ｒｓ：汚染布の反射率（％）
Ｒｗ：洗浄布の反射率（％）
洗浄性は、３枚の人工汚染布に対する洗浄効率の単純平均値で評価。
▲２▼　ろ過性の評価
ａ）ろ過フィルター出入口液のカオリン濃度を分析（濁度計）
【００１１】
（５）評価
▲１▼　洗浄性
図２は、くり返し洗浄回数と相対洗浄効率の関係を示すグラフであり、洗浄性の結果を示す。
ａ）　４０回程度まで、『湿式人工汚染布』に対する洗浄性に変化はなかった。
ｂ）　５０回程度くり返し洗浄後、洗浄性に低下が認められた。
▲２▼　ろ過性
図３は、ろ過器出入口の濁度経時変化を示すグラフである。
図４は、ろ過器出入口のバッチ毎の濁度変化を示すグラフである。
ａ）　図３に示すように、ろ過器出口液に添加カオリンは検出（１ｍｇ／Ｌ以下）されなかった。
ｂ）　図４に示すように、添加したカオリンのほとんどが、ろ過器により除去された。
（６）洗浄液の腐敗性
▲１▼　４週間洗浄液を交換しなかったが、特に洗浄液の腐敗臭は確認できなかった。
【００１２】
【発明の効果】
本発明によれば、洗浄液を常時又は周期的に浄化再生（懸濁物のろ過処理や溶解成分の吸着処理）しながら洗浄することで洗浄効率を向上し、且つバッチ毎に洗浄液を排水せず、繰り返し再使用することで、洗浄廃液の発生量を大幅に削減し、洗浄剤コストと洗浄廃液処理コストを大幅に削減することができた。
【図面の簡単な説明】
【図１】本発明の洗浄装置の一例を示すフロー構成図。
【図２】くり返し洗浄回数と相対洗浄効率の関係を示すグラフ。
【図３】ろ過器出入口の濁度経時変化を示すグラフ。
【図４】ろ過器出入口のバッチ毎の濁度変化を示すグラフ。
【符号の説明】
１：洗浄槽、２：循環ポンプ、３：ろ過フィルター、４：ヒーター
【図１】
2004016950.tif 000003
【図２】
2004016950.tif 000004
【図３】
2004016950.tif 000005
【図４】
2004016950.tif 000006